(57)【要約】      （修正有）【課題】お風呂のお湯を利用して蓄熱し、少量でも発熱量が大きく、低温熱傷の危険性を回避する潜熱利用湯たんぽを提供する。【解決手段】袋状体の内部に潜熱蓄熱材を封入した蓄熱体部を設ける。蓄熱材に無機水和塩や有機化合物を使用し、ブロック状の蓄熱材部を設ける。【選択図】図１
0003170523.tif 000002
【実用新案登録請求の範囲】
【請求項１】
身体周辺に触れて暖をとる暖房器具で、
袋状体の内部に蓄熱材として潜熱蓄熱材を封入した蓄熱体部を設け潜熱蓄熱体を構成したこと
を特徴とする潜熱利用湯たんぽ。
【請求項２】
請求項１に記載の潜熱利用湯たんぽにおいて、
蓄熱材をお風呂の温度付近の４１℃前後の温度で融解し蓄熱すること
を特徴とする潜熱利用湯たんぽ。
【請求項３】
請求項１から２の何れか一項に記載の潜熱利用湯たんぽにおいて、
蓄熱材を人間の体温近くの温度３６℃前後で凝固し凝固熱をだすこと
を特徴とする潜熱利用湯たんぽ。
【請求項４】
請求項１から３の何れか一項に記載の潜熱利用湯たんぽにおいて、
蓄熱材に無機水和塩を使用したこと  
を特徴とする潜熱利用湯たんぽ。
【請求項５】
請求項１から４の何れか一項に記載の潜熱利用湯たんぽにおいて、
蓄熱材に有機物化合物、又は糖アルコール等の有機物を使用したこと  
を特徴とする潜熱利用湯たんぽ。
【請求項６】
請求項１から５の何れか一項に記載の潜熱利用湯たんぽにおいて、
蓄熱材部をブロック状に複数設けたこと
を特徴とする潜熱利用湯たんぽ。  
【請求項７】
請求項１から６の何れか一項に記載の潜熱利用湯たんぽにおいて、
潜熱蓄熱体に吊り穴を設けたこと
を特徴とする潜熱利用湯たんぽ。
【請求項８】
請求項１から７の何れか一項に記載の潜熱利用湯たんぽにおいて、
磁性体や、遠赤外線放射物質や、イオン発生物質を蓄熱材、蓄熱材容器に含有したこと  
を特徴とする潜熱利用湯たんぽ。
【請求項９】
請求項１から８の何れか一項に記載の潜熱利用湯たんぽにおいて、
潜熱蓄熱体の形状を液体を溜める事の出来る容器形状としたこと  
を特徴とする潜熱利用湯たんぽ。
【請求項１０】
請求項１から９の何れか一項に記載の潜熱利用湯たんぽにおいて、
潜熱蓄熱体を布やプラスチック製の袋で包み込むカバーを設けたこと  
を特徴とする潜熱利用湯たんぽ。
【請求項１１】
請求項１０に記載の潜熱利用湯たんぽにおいて、
カバーを手や足など身体の一部を包み込む袋状としたポケットを設けたこと  
を特徴とする潜熱利用湯たんぽ。
【請求項１２】
請求項１０から１１の何れか一項に記載の潜熱利用湯たんぽにおいて、
磁性体や、遠赤外線放射物質や、イオン発生物質をカバーに取り付けたり、貼り付けたり、塗布したこと  
を特徴とする潜熱利用湯たんぽ。
【考案の詳細な説明】
【技術分野】
【０００１】
本考案は、袋状体に潜熱蓄熱材を封入した、身体周辺に触れて暖をとる暖房器具に関する。
【背景技術】
【０００２】
従来から、身体を暖めるために身体周辺に触れて暖をとる暖房器具として湯たんぽ（湯湯婆）がある。湯たんぽは容器に湯を注ぎ栓をし、触れて暖をとる。布団などに入れ主に足を暖める、椅子の背もたれや足先において、足や腰をあたためるものがある。容器材質は陶器、金属、プラスチック製がある。温度調節が効かないため、使用時に布を巻かないと火傷することや、しっかりと確実に締めないと、使用中にキャップが緩み足に火傷を負うことがある。また、適温は摂氏40〜50度とされているが、高温使用で低温火傷となることがある。また、小豆、そばや、ゲル化剤、天然石等を封入し、電子レンジで暖め、肩や足を暖めるものがある。
【０００３】
これらの暖房器具は、本体を暖めた後徐々に冷えるため、一定温度を保つ電気器具に対し身体に負担が掛かりにくい。
従来からの湯たんぽは、お湯を沸かして、お湯を注ぐ行為が面倒であったが、プラスチック容器タイプは、電子レンジで暖める等でより便利になった、しかし、一方で、キャップをしたまま暖めるケースや、熱いままで長時間使用してしまい低温火傷をする等の問題が発生している。お湯は徐々に冷えるため、高めの温度のお湯を注ぎ込みがちなのが人情であり、事故の要因ともなっている。
【０００４】
特許文献１には、「本発明は、人体の肩部を冷やすまたは暖めるのと同時に、人体の首部と、この首部下方の背中とのどちらかを冷やすまたは暖めることを使用者が選択して行えるパッド装置及びパッド装置の装着方法を提供することを目的としている。」とあるが、パッド装置の装着方法である。
【０００５】
さらに、特許文献２では、「電気行火内部のヒーターを、自動的に強弱に切り替える、又は電気行火内部に、湯たんぽの温度特性をインプットした、マイコンを内蔵させるものである。」とあるが、湯たんぽの特性を取り入れた電気あんかである。
このように、環境に優しく、安心して長時間一定温度で暖がとれ、低温火傷をせずに身体に優しく、身体周辺に触れながら暖をとれる器具が無かった。
【先行技術文献】
【特許文献】
【０００６】
【特許文献１】特許公開２００３−４７６２７号公報
【特許文献１】特許公開平９−２５７２５５号公報
【考案の概要】
【考案が解決しようとする課題】
【０００７】
湯たんぽは、お湯を入れなければならなく面倒であるのと共に、お湯を扱う為に危険が伴った。また、プラスチック容器のタイプは電子レンジで暖める際にはキャップの開け忘れ等の気遣いが煩わしい。また、キャップのゆるみ等による湯漏れの問題もあった。電気式の湯たんぽ、あんか、毛布等は、電気事故や、電気を纏う事に対する抵抗感、そして一定温度を保つことによる自律神経等の弱体懸念がある。
【課題を解決するための手段】
【０００８】
上記課題を解決するために、本考案の一態様に係る潜熱蓄熱材を用いた潜熱利用湯たんぽで、蓄熱材をお風呂の湯の温度や付近の温度で蓄熱すると共に、体温近くの温度で凝固熱をだすものとしたことにより低温火傷の危険性が回避したことを特徴とする。
【考案の効果】
【０００９】
低温熱傷は極端に熱源の接触時間が長いため、発赤や水疱形成だけに見えても深部に深い損傷を負っていることが多い。睡眠時は痛みに気づかないため深達性II度（DDB）まで傷を負い、さらに進行性に深くなりIII度(DB)まで達することもまれにはある。深くなる理由としては、皮膚の血流量より脂肪層の血流量が少なく、皮膚の血流で受傷した創が冷やされて軽症に見えても脂肪層では血流により冷却されないことが挙げられる。
また、低温火傷は接触部の温度が４４℃だと約６から１０時間で受傷する。
また４４ー５１℃までのあいだは接触する温度が高くなるにつれて受傷する時間が短縮される場合もある。低温熱源とは湯たんぽ、懐炉、ストーブ、ホットカーペットなどおもに暖房器具。受傷者側の要因としては、熟睡していたり体が不自由であったり、知覚麻痺、泥酔、一酸化炭素中毒、糖尿病による循環不良、などの状態にあると受傷しやすい。と言われており、高齢化社会において受傷の増加が考えられる。
潜熱蓄熱は、物質の比熱を利用する顕熱蓄熱に対し、物質の相変化、転移の際に外部とやりとりされる潜熱を熱エネルギーとして蓄える技術を潜熱蓄熱と呼ぶ。代表例としては氷（水）、パラフィン、無機塩などがあり、それらの融点での融解熱、および凝固点での凝固熱を利用する。これらの材料は固−液間の相変化を伴うため、潜熱蓄熱に用いられる材料をPCM（Ｐｈａｓｅ  Ｃｈａｎｇｅ  Ｍａｔｅｒｉａｌｅｓ）と呼称している。
潜熱蓄熱材は単位容積当たり水の約５倍、コンクリートの約１0倍の蓄熱量が得られる。
このようなことから、本考案によれば、例えば寒い夜にふとんの足下に入れれば低温火傷することなく少量でも、安眠しやすく朝方まで暖かい潜熱利用湯たんぽを提供できる。
【図面の簡単な説明】
【００１０】
【図１】本考案の潜熱利用湯たんぽ平面図である。
【図２】本考案の潜熱利用湯たんぽの風呂でのお湯による蓄熱状態を示す斜視図である。
【図３】本考案の潜熱利用湯たんぽの他の実施例斜視図である。
【図４】本考案の潜熱利用湯たんぽの他の実施例平面図である。
【図５】本考案の潜熱利用湯たんぽの他の実施例斜静図である。
【図６】本考案の潜熱利用湯たんぽの他の実施例斜静図である。
【考案を実施するための形態】
【００１１】
本考案の実施の形態について、以下、図に基づいて説明する。
【００１２】
図１は、本考案の潜熱利用湯たんぽ平面図を示す。
潜熱利用湯たんぽ１は蓄熱材２を容器３に封入したものを示し、蓄熱材１には、例えば無機水和塩系の潜熱蓄熱材を使用し、使用適温とするために相変化温度にするため融点調整剤を添加したりする。無機水和塩として塩化カルシウム水和物、硫酸ナトリウム水和物、チオ硫酸ナトリウム水和物、酢酸ナトリウム水和物等がある、耐久性を高めるために過冷却防止剤、相分離防止剤等を添加した混合物をポリポロピレンの合成樹脂製の容器３に充填し潜熱蓄熱体５とする。他に塩化ビニルやポリエチレン等に充填してもよい。また、パラフィン系潜熱蓄熱材を使用する場合は、パラフィンをゴムまたは合成樹脂に練り込み、板状に成形したものをアルミラミネート被覆材で被覆した潜熱蓄熱体５として用いる。パラフィンは可燃性が有り、このような注意が必要である。容器３は、ゴムやシリコンゴムを用いてもよい。
ここでは、潜熱蓄熱体５をそのまま、潜熱利用湯たんぽ１としたものである。
潜熱蓄熱材として、他に、糖アルコール等の有機物として、エリスリトール、トリメチルエタン等がある。
【００１３】
図２は、本考案の潜熱利用湯たんぽを風呂のお湯により蓄熱状態を示す斜視図である。
浴槽８の金具８ａにＳ字金具８ｂを用い、潜熱利用湯たんぽ１の吊り穴３ｂに掛けて、お湯の湯面８ｃ下に浸し、蓄熱を行っている状態を示す。ここでの潜熱蓄熱材２は約４１℃前後で融解（例えば４１℃）し、凝固温度を３６℃前後（例えば３６℃）とし、例えば入浴時に浸して置き、就寝時に引き上げて使用するものである。これにより、長時間の蓄熱が可能となり、引き上げ後、外気温で３６℃となるまで下がり凝固を開始し３６℃での凝固熱をだしはじめる。凝固熱の保持は、蓄熱材の容量や容器３の素材や厚み、さらに、周辺温度により異なるが、例えば蓄熱材５００グラムの容量で、ふとんの中に入れて置いた場合、６時間以上の凝固熱を発熱し続ける。また、潜熱蓄熱体３には持ちやすい様に、把手３ａや、吊り下げ易く、吊り穴３ｂが設けられていることを示す。
【００１４】
図３は、本考案の潜熱利用湯たんぽの他の実施例の斜視図である。
布状のカバー４に潜熱蓄熱体５を入れ潜熱利用湯たんぽ１としたものを示す。また、カバー表面には複数の磁性体９を埋め込んだものを示す。図示しないが、蓄熱材２や容器３の磁性体や、遠赤外線放射物（機能性セラミックス、天然鉱石、チタン等）、イオン発生物質（トルマリン等）を含有したり、磁性体や、遠赤外線放射物質や、イオン発生物質をカバー３に取り付けたり、貼り付けたり、塗布してもよい。ここでは、鞄状の形状を示しているが、形状には拘らず、周囲を覆うことができればよい。
閉じる面にマジックテープ（登録商標）やチャックなどを設けてもよい。
【００１５】
図４（ａ）は、蓄熱材をブロック状に設け蓄熱材ブロック２ａとした潜熱利用湯たんぽ１ａを示し、例えば容器３を柔軟性の高いシリコンゴムや塩化ビニルで形成したもので、蓄熱材が凝固しても、蓄熱材ブロック２ａ間で折り畳め、丸めたり出来るため、移動や保管がしやすい。図４（ｂ）は、さらに、折り畳みやすくすると共に、左右の紐１２を設け腰回りや足、腕回りに対応しやすくした潜熱利用湯たんぽ１ｂを示す。
【００１６】
図５は、容器３を入れたカバー４ａを用いた潜熱利用湯たんぽ１ｃを示し、カバー４ａの中に足１１を入れた状態を示し、カバー４ａは靴下形状としたものである。又口部はゴム編みにしたり、ゴムを等したりし、抜けにくいものとしている。ここでは片足を示すが、両足を入れる一体形としてもよい。または、ここでは図示しないがポケット状にしたものである。また、手を入れるものとしても良く、さらには、カバー４ａに指先を設けて、指先が自由使用できる様にしてもよい。
その上、足全体を入れる様な大きさとしてもよい。
【００１７】
図６は、容器３をバケツ状にしたもので、側面に蓄熱材２を設けた潜熱利用湯たんぽ１ｄを示す。浴槽の残り湯や、湧かしたお湯をこの中に入れ、バケツ状にした表面の蓄熱材２に蓄熱するもので、凝固熱を得る際には折り畳んで使用する事が出来る。また、そのまま、動物を入れる等で使用してもよい。ここでは四角形状を示すが、形状は、円形や、楕円形、さらには球形で、小さめな注ぎ口を設けたり、注ぎ口に蓋を設けたりしてもよい。
【００１８】
本考案ではふとんで足下に置く湯たんぽを主に説明してきたが、肩や、手、足、背中等を暖める為のものでも良く、本体、カバー形状も色々の形態のものとする事が出来る。また、本体を複数個使用する事もよい。また、カバーの形状はショルダー型や、巻き付けできる形式にも出来る。さらに、人間以外の動物や、植物等の保温に使用しても良い。このような範囲は本考案の応用の範囲と考えられる。
【符号の説明】
【００１９】
１・１ａ・１ｂ・１ｃ：潜熱利用湯たんぽ、２：蓄熱材、２ａ：蓄熱材ブロック、３：容器、３ａ：把手、３ｂ：吊り穴、４・４ａ：カバー、５：潜熱蓄熱体、８：浴槽、８ａ：金具、８ｂ：Ｓ字金具、８ｃ：湯面、９：磁性体、１０：手、１１：足、１２紐
【図１】
0003170523.tif 000003
【図２】
0003170523.tif 000004
【図３】
0003170523.tif 000005
【図４】
0003170523.tif 000006
【図５】
0003170523.tif 000007
【図６】
0003170523.tif 000008
【手続補正書】
【提出日】平成23年6月24日(2011.6.24)
【手続補正１】
【補正対象書類名】明細書
【補正対象項目名】全文
【補正方法】変更
【補正の内容】
【考案の詳細な説明】
【技術分野】
【０００１】
本考案は、湯たんぽに関する。
【背景技術】
【０００２】
従来から、身体を暖めるために身体周辺に触れて暖をとる暖房器具として湯たんぽ（湯湯婆）がある。湯たんぽは容器に湯を注ぎ栓をし、触れて暖をとる。布団などに入れ主に足を暖める、椅子の背もたれや足先において、足や腰をあたためるものがある。容器材質は陶器、金属、プラスチック製がある。温度調節が効かないため、使用時に布を巻かないと火傷することや、しっかりと確実に締めないと、使用中にキャップが緩み足に火傷を負うことがある。また、適温は摂氏40〜50度とされているが、高温使用で低温火傷（以後低温熱傷と記す）となることがある。また、他に小豆、そばや、ゲル化剤、天然石等を封入し、電子レンジで暖め、肩や足を暖めるものがある。
【０００３】
これらの暖房器具は、本体を暖めた後徐々に冷えるため、一定温度を保つ電気器具に対し身体に負担が掛かりにくい。
従来からの湯たんぽは、お湯を沸かして、お湯を注ぐ行為が面倒であったが、プラスチック容器タイプは、電子レンジで暖める等でより便利になった、しかし、一方で、キャップをしたまま暖めるケースや、熱いままで長時間使用してしまい低温熱傷となる等の問題が発生している。お湯は徐々に冷えるため、高めの温度のお湯を注ぎ込みがちなのが人情であり、事故の要因ともなっている。
【０００４】
特許文献１には、「本発明は、人体の肩部を冷やすまたは暖めるのと同時に、人体の首部と、この首部下方の背中とのどちらかを冷やすまたは暖めることを使用者が選択して行えるパッド装置及びパッド装置の装着方法を提供することを目的としている。」とあるが、パッド装置の装着方法である。
【０００５】
さらに、特許文献２では、「電気行火内部のヒーターを、自動的に強弱に切り替える、又は電気行火内部に、湯たんぽの温度特性をインプットした、マイコンを内蔵させるものである。」とあるが、湯たんぽの特性を取り入れた電気あんかである。
このように、環境に優しく、安心して長時間一定温度で暖がとれ、低温熱傷とならずに身体に優しく、身体周辺に触れながら暖をとれる器具が無かった。
【先行技術文献】
【特許文献】
【０００６】
【特許文献１】特許公開２００３−４７６２７号公報
【特許文献１】特許公開平９−２５７２５５号公報
【考案の概要】
【考案が解決しようとする課題】
【０００７】
湯たんぽは、お湯を入れなければならないため面倒であるのと共に、お湯を扱う為に危険が伴った。また、プラスチック容器のタイプは電子レンジで暖める際にキャップの開け忘れ等の気遣いが煩わしい。また、キャップのゆるみ等による湯漏れの問題もあった。電気式の湯たんぽ、あんか、毛布等は、電気事故や、電気を纏う事に対する抵抗感、そして一定温度を保つことによる自律神経等の弱体懸念がある。
【課題を解決するための手段】
【０００８】
上記課題を解決するために、本考案の一態様に係る潜熱蓄熱材を用いた潜熱利用湯たんぽで、蓄熱材をお風呂の湯の温度や付近の温度で蓄熱すると共に、体温近くの温度で凝固熱をだすものとしたことにより低温熱傷の危険性を回避したことを特徴とする。
【考案の効果】
【０００９】
低温熱傷は極端に熱源の接触時間が長いため、発赤や水疱形成だけに見えても深部に深い損傷を負っていることが多い。睡眠時は痛みに気づかないため深達性II度（DDB）まで傷を負い、さらに進行し深くなりIII度(DB)まで達することもまれにある。深くなる理由としては、皮膚の血流量より脂肪層の血流量が少なく、皮膚の血流で受傷した創が冷やされて軽症に見えても脂肪層では血流により冷却されないことが挙げられる。
低温熱傷は接触部の温度が４４℃だと約６から１０時間で受傷する。
また４４ー５１℃までのあいだは接触する温度が高くなるにつれて受傷する時間が短縮される場合もある。低温熱源とは湯たんぽ、懐炉、ストーブ、ホットカーペットなどおもに暖房器具。受傷者側の要因としては、熟睡していたり体が不自由であったり、知覚麻痺、泥酔、一酸化炭素中毒、糖尿病による循環不良、などの状態にあると受傷しやすいと言われており、高齢化社会において受傷の増加が考えられる。
物質の比熱を利用する顕熱蓄熱に対し、物質の相変化、転移の際に外部とやりとりされる潜熱を熱エネルギーとして蓄える技術を潜熱蓄熱と呼ぶ。代表例としては氷（水）、パラフィン、無機塩などがあり、それらの融点での融解熱、および凝固点での凝固熱を利用する。これらの材料は固−液間の相変化を伴うため、潜熱蓄熱に用いられる材料をPCM（Ｐｈａｓｅ  Ｃｈａｎｇｅ  Ｍａｔｅｒｉａｌｅｓ）と呼称している。
潜熱蓄熱材は単位容積当たり水の約５倍、コンクリートの約１0倍の蓄熱量が得られる。
このようなことから、本考案によれば、浴槽に入れておいて蓄熱しておき、取りだして使用するだけの為、少量でも発熱量が大きく、簡単で環境に優しく、さらに、人に優しい、例えば寒い夜にふとんの足下に入れれば低温お熱傷となることなく、安眠しやすく朝方まで暖かい、潜熱利用湯たんぽを提供できる。
【図面の簡単な説明】
【００１０】
【図１】本考案の潜熱利用湯たんぽ平面図である。
【図２】本考案の潜熱利用湯たんぽの風呂でのお湯による蓄熱状態を示す斜視図である。
【図３】本考案の潜熱利用湯たんぽの他の実施例斜視図である。
【図４】本考案の潜熱利用湯たんぽの他の実施例平面図である。
【図５】本考案の潜熱利用湯たんぽの他の実施例斜静図である。
【図６】本考案の潜熱利用湯たんぽの他の実施例斜静図である。
【考案を実施するための形態】
【００１１】
本考案の実施の形態について、以下、図に基づいて説明する。
【００１２】
図１は、本考案の潜熱利用湯たんぽ平面図を示す。
潜熱利用湯たんぽ１は蓄熱材２を袋状体の容器３に封入したものを示し、蓄熱材１には、例えば無機水和塩系の潜熱蓄熱材を使用し、使用適温とするために相変化温度にするため融点調整剤を添加したりする。無機水和塩として塩化カルシウム水和物、硫酸ナトリウム水和物、チオ硫酸ナトリウム水和物、酢酸ナトリウム水和物等がある、耐久性を高めるために過冷却防止剤、相分離防止剤等を添加した混合物をポリポロピレンの合成樹脂製の容器３に充填し潜熱蓄熱体５とする。他に塩化ビニルやポリエチレン等に充填してもよい。また、パラフィン系潜熱蓄熱材を使用する場合は、パラフィンをゴムまたは合成樹脂に練り込み、板状に成形したものをアルミラミネート被覆材で被覆した潜熱蓄熱体５として用いる。パラフィンは可燃性が有り、このような注意が必要である。容器３は、ゴムやシリコンゴムを用いてもよい。
ここでは、潜熱蓄熱体５をそのまま、潜熱利用湯たんぽ１としたものである。
潜熱蓄熱材として、他に、糖アルコール等の有機物として、エリスリトール、トリメチルエタン等がある。
【００１３】
図２は、本考案の潜熱利用湯たんぽを風呂のお湯により蓄熱状態を示す斜視図である。
浴槽８の金具８ａにＳ字金具８ｂを用い、潜熱利用湯たんぽ１の吊り穴３ｂに掛けて、お湯の湯面８ｃ下に浸し、蓄熱を行っている状態を示す。ここでの潜熱蓄熱材２は約４１℃前後で融解（例えば４１℃）し、凝固温度を３６℃前後（例えば３６℃）とし、例えば入浴時に浸して置き、就寝時に引き上げて使用するものである。これにより、長時間の蓄熱が可能となり、引き上げ後、外気温で３６℃となるまで下がり凝固を開始し３６℃での凝固熱をだしはじめる。凝固熱の保持は、蓄熱材の容量や容器３の素材や厚み、さらに、周辺温度により異なるが、例えば蓄熱材５００グラムの容量で、ふとんの中に入れて置いた場合、６時間以上の凝固熱を発熱し続ける。また、潜熱蓄熱体３には持ちやすい様に、把手３ａや、吊り下げ易く、吊り穴３ｂが設けられていることを示す。
【００１４】
図３は、本考案の潜熱利用湯たんぽの他の実施例の斜視図である。
布状のカバー４に潜熱蓄熱体５を入れ潜熱利用湯たんぽ１としたものを示す。また、カバー表面には複数の磁性体９を埋め込んだものを示す。図示しないが、蓄熱材２や容器３の磁性体や、遠赤外線放射物（機能性セラミックス、天然鉱石、チタン等）、イオン発生物質（トルマリン等）を含有したり、磁性体や、遠赤外線放射物質や、イオン発生物質をカバー３に取り付けたり、貼り付けたり、塗布してもよい。ここでは、鞄状の形状を示しているが、形状には拘らず、周囲を覆うことができればよい。
閉じる面にマジックテープ（登録商標）やチャックなどを設けてもよい。
【００１５】
図４（ａ）は、蓄熱材をブロック状に設け蓄熱材ブロック２ａとした潜熱利用湯たんぽ１ａを示し、例えば容器３を柔軟性の高いシリコンゴムや塩化ビニルで形成したもので、蓄熱材が凝固しても、蓄熱材ブロック２ａ間で折り畳め、丸めたり出来るため、移動や保管がしやすい。図４（ｂ）は、さらに、折り畳みやすくすると共に、左右の紐１２を設け腰回りや足、腕回りに対応（柔軟に装着）しやすくした潜熱利用湯たんぽ１ｂを示す。
【００１６】
図５は、容器３を入れたカバー４ａを用いた潜熱利用湯たんぽ１ｃを示し、カバー４ａの中に足１１を入れた状態を示し、カバー４ａは靴下形状としたものである。又口部はゴム編みにしたり、ゴムを通したりし、抜けにくいものとしている。ここでは片足を示すが、両足を入れる一体形としてもよい。または、ここでは図示しないがポケット状にしたものである。また、手を入れるものとしても良く、さらには、カバー４ａに指先穴を設けて、指先が自由使用できる様にしてもよい。
その上、足全体を入れる様な大きさとしてもよい。
【００１７】
図６は、容器３をバケツ状にしたもので、側面に蓄熱材２を設けた潜熱利用湯たんぽ１ｄを示す。浴槽の残り湯や、湧かしたお湯をこの中に入れ、バケツ状にした表面の蓄熱材２に蓄熱するもので、凝固熱を得る際には折り畳んで使用する事が出来る。また、そのまま、動物を入れる等で使用してもよい。ここでは四角形状を示すが、形状は、円形や、楕円形、さらには球形で、小さめな注ぎ口を設けたり、注ぎ口に蓋を設けたりしてもよい。
【００１８】
本考案ではふとんで足下に置く湯たんぽを主に説明してきたが、肩や、手、足、背中等を暖める為のものでも良く、本体、カバー形状も色々の形態のものとする事が出来る。また、本体を複数個使用してもよい。また、カバーの形状はショルダー型や、巻き付けできる形式にも出来る。さらに、人間以外の動物や、植物等の保温に使用しても良い。このような範囲は本考案の応用の範囲と考えられる。
【符号の説明】
【００１９】
１・１ａ・１ｂ・１ｃ：潜熱利用湯たんぽ、２：蓄熱材、２ａ：蓄熱材ブロック、３：容器、３ａ：把手、３ｂ：吊り穴、４・４ａ：カバー、５：潜熱蓄熱体、８：浴槽、８ａ：金具、８ｂ：Ｓ字金具、８ｃ：湯面、９：磁性体、１１：足、１２紐
【手続補正書】
【提出日】平成23年7月13日(2011.7.13)
【手続補正１】
【補正対象書類名】図面
【補正対象項目名】図１
【補正方法】変更
【補正の内容】
【図１】
0003170523.tif 000009